(57)【要約】【課題】透光性と高い配光性とを両立させること。【解決手段】実施形態の面状照明装置は、光源と、導光板とを備える。光源は、所定の方向に光を出射する。導光板は、側面と、一方の主面である出射面と、他方の主面である裏面とを有し、裏面にプリズムが形成され、光源から側面に入射される光を出射面から出射する。そして、プリズムは、所定の方向と平行に切断した場合に、出射面と略平行である第１領域と、出射面に対して傾斜する第２領域とを有し、第１領域と第２領域とが所定の方向に対して斜め方向に延びる。【選択図】図１Ａ
2018181822.tif 000002
【特許請求の範囲】
【請求項１】
所定の方向に光を出射する光源と、
側面と、一方の主面である出射面と、他方の主面である裏面とを有し、前記裏面にプリズムが形成され、前記光源から前記側面に入射される光を前記出射面から出射する導光板と、
を備え、
前記プリズムは、
前記所定の方向と平行に切断した場合に、前記出射面と略平行である第１領域と、前記出射面に対して傾斜する第２領域とを有し、前記第１領域と前記第２領域とが前記所定の方向に対して斜め方向に延びる、
面状照明装置。
【請求項２】
前記出射面から出射される光は、半値全幅で４０°以下の範囲に出射される、
請求項１に記載の面状照明装置。
【請求項３】
前記光源と前記導光板の前記側面との間に、配光角度を制限可能に構成される視野制御フィルムをさらに備える、
請求項１または２に記載の面状照明装置。
【請求項４】
前記視野制御フィルムは、
前記出射面と平行な面で切断した場合に、前記配光角度を±６０°以下の範囲で制限する、
請求項３に記載の面状照明装置。
【請求項５】
前記視野制御フィルムは、
長手方向と垂直な面で切断した場合に、前記配光角度を±６０°以下の範囲で制限する、
請求項３または４に記載の面状照明装置。
【請求項６】
前記光源は、
前記側面に沿って延びる線状光源である、
請求項１〜５のいずれか一つに記載の面状照明装置。
【請求項７】
２つの前記線状光源が前記側面に沿って配置される、
請求項６に記載の面状照明装置。
【請求項８】
前記導光板は、
第１導光部と第２導光部とを有し、前記第１導光部と前記第２導光部とで前記第１領域と前記第２領域とが延びる方向が互いに異なる、
請求項１〜７のいずれか一つに記載の面状照明装置。
【発明の詳細な説明】
【技術分野】
【０００１】
本発明は、面状照明装置に関する。
【背景技術】
【０００２】
従来、自動車内の運転席や助手席の手元を照らす車内照明用の面状照明装置が提供されている。また、透光性をさらに有し、かかる面状照明装置を介して視認可能な面状照明装置が近年求められている。
【先行技術文献】
【特許文献】
【０００３】
【特許文献１】特開２０１０−１０５５６３号公報
【発明の概要】
【発明が解決しようとする課題】
【０００４】
しかしながら、透光性を有する面状照明装置において、透光性を維持しつつ、高い配光性を実現させることは困難であった。したがって、運転席や助手席の手元のみならず、運転者や助手席に座る人に対しても光が照射され、運転者や助手席に座る人がまぶしく感じる場合があった。
【０００５】
本発明は、上記に鑑みてなされたものであって、透光性と高い配光性とを両立させることができる面状照明装置を提供することを目的とする。
【課題を解決するための手段】
【０００６】
上述した課題を解決し、目的を達成するために、本発明の一態様に係る面状照明装置は、光源と、導光板とを備える。前記光源は、所定の方向に光を出射する。前記導光板は、側面と、一方の主面である出射面と、他方の主面である裏面とを有し、前記裏面にプリズムが形成され、前記光源から前記側面に入射される光を前記出射面から出射する。そして、前記プリズムは、前記所定の方向と平行に切断した場合に、前記出射面と略平行である第１領域と、前記出射面に対して傾斜する第２領域とを有し、前記第１領域と前記第２領域とが前記所定の方向に対して斜め方向に延びる。
【発明の効果】
【０００７】
本発明の一態様によれば、透光性と高い配光性とを両立させることができる。
【図面の簡単な説明】
【０００８】
【図１Ａ】図１Ａは、実施形態に係る面状照明装置の正面図である。
【図１Ｂ】図１Ｂは、図１ＡにおけるＡ−Ａ線の断面図である。
【図２Ａ】図２Ａは、図１Ａにおける領域Ｄの拡大図である。
【図２Ｂ】図２Ｂは、図１Ａにおける領域Ｅの拡大図である。
【図２Ｃ】図２Ｃは、図２ＡにおけるＦ−Ｆ線の断面図である。
【図３Ａ】図３Ａは、実施形態に係るライトバーを説明するための図である。
【図３Ｂ】図３Ｂは、実施形態に係るライトバーの拡大図である。
【図３Ｃ】図３Ｃは、図３Ａにおける領域Ｈの拡大図である。
【図３Ｄ】図３Ｄは、図３Ａにおける領域Ｊの拡大図である。
【図３Ｅ】図３Ｅは、図３ＡにおけるＫ−Ｋ線の断面図である。
【図４Ａ】図４Ａは、実施形態に係るプリズムシートの長手方向における中央部分の拡大図である。
【図４Ｂ】図４Ｂは、実施形態に係るプリズムシートの長手方向における端部近傍の拡大図である。
【図５Ａ】図５Ａは、実施形態に係る視野制御フィルムについて説明するための図である。
【図５Ｂ】図５Ｂは、実施形態に係る視野制御フィルムの別の例について説明するための図である。
【図６Ａ】図６Ａは、実施形態の変形例１に係る面状照明装置の正面図である。
【図６Ｂ】図６Ｂは、図６Ａにおける領域Ｍの拡大図である。
【図７Ａ】図７Ａは、実施形態の変形例２に係る第１導光部の拡大図である。
【図７Ｂ】図７Ｂは、実施形態の変形例２に係る第２導光部の拡大図である。
【図８】図８は、実施形態の変形例３に係る面状照明装置の断面図である。
【図９】図９は、実施形態の変形例３に係る視野制御フィルムについて説明するための図である。
【図１０Ａ】図１０Ａは、参考例の面状照明装置における配光について説明するための図である。
【図１０Ｂ】図１０Ｂは、実施形態の変形例３に係る面状照明装置における配光について説明するための図である。
【図１１】図１１は、実施形態の変形例４に係る面状照明装置の断面図である。
【図１２】図１２は、参考例の面状照明装置における配光分布を示す図である。
【図１３】図１３は、図１２に示した配光分布における方位角について説明するための図である。
【図１４】図１４は、図１２に示した配光分布における極角について説明するための図である。
【図１５】図１５は、実施形態、変形例３、変形例４および参考例の配光分布の断面を示した図である。
【発明を実施するための形態】
【０００９】
以下、実施形態に係る面状照明装置について図面を参照して説明する。なお、以下に説明する実施形態により面状照明装置の用途が限定されるものではない。また、図面は模式的なものであり、各要素の寸法の関係、各要素の比率などは、現実と異なる場合があることに留意する必要がある。さらに、図面の相互間においても、互いの寸法の関係や比率が異なる部分が含まれている場合がある。
【００１０】
（実施形態）
まず、実施形態に係る面状照明装置１の概要について、図１Ａおよび図１Ｂを参照しながら説明する。図１Ａは、実施形態に係る面状照明装置１の正面図であり、図１Ｂは、図１ＡにおけるＡ−Ａ線の断面図である。
【００１１】
図１Ａに示すように、面状照明装置１は、ハウジングフレーム２と、線状光源３Ａ、３Ｂと、視野制御フィルム４と、導光板５とを備える。面状照明装置１は、たとえば、自動車の運転席および助手席の手元を照らす車内照明灯に用いられる。
【００１２】
ハウジングフレーム２は、線状光源３Ａ、３Ｂや視野制御フィルム４、導光板５を保持し収納する。ハウジングフレーム２は、たとえば、合成樹脂や金属で形成される。また、図１Ｂに示すように、ハウジングフレーム２には、導光板５の主面５ｄ側に開口部２ａが形成され、導光板５の主面５ｅ側に開口部２ｂが形成されており、かかる開口部２ａ、２ｂから導光板５が露出している。なお、図１Ａにおいて、説明の便宜上、線状光源３Ａ、３Ｂや視野制御フィルム４が配置された箇所におけるハウジングフレーム２のＺ軸正方向側の部分の図示が省略されている。
【００１３】
線状光源３Ａは、図１Ａおよび図１Ｂに示すように、たとえば、車内の助手席側（図１Ａでは左下側）に出射される光を発する光源であり、線状光源３Ｂは、たとえば、車内の運転席側（図１Ａでは右下側）に出射される光を発する光源である。線状光源３Ａ、３Ｂは、一対のＦＰＣ（Flexible  Printed  Circuits）１０と、一対のＬＥＤ（Light  Emitting  Diode）１１と、一対のライトバー１２と、１つのプリズムシート１３とを有する。
【００１４】
ＦＰＣ１０は、ＬＥＤ１１が実装される基板である。ＦＰＣ１０は、ＬＥＤ１１を実装可能に構成される実装面を有し、かかる実装面にＬＥＤ１１の発光面１１ａとは反対側の面が接合される。
【００１５】
一対のＦＰＣ１０には、それぞれ図示しない駆動回路が接続される。そして、かかる駆動回路により、ＦＰＣ１０を介してＬＥＤ１１が駆動され、対応する線状光源３Ａ、３Ｂがそれぞれ点灯する。
【００１６】
ＬＥＤ１１は、点状の光源である。ＬＥＤ１１は、光を発する発光面１１ａを有し、かかる発光面１１ａがライトバー１２の入光面１２ａに対向した状態で、ライトバー１２の入光面１２ａ側に配置される。そして、ＬＥＤ１１は、発光面１１ａからライトバー１２の入光面１２ａに向けて光を出射する。
【００１７】
また、上述したように、ＬＥＤ１１における発光面１１ａとは反対側の面がＦＰＣ１０に接合される。すなわち、ＬＥＤ１１は、実装されるＦＰＣ１０が発光面１１ａと略平行であるトップビュー型のＬＥＤである。なお、ＬＥＤ１１は、トップビュー型のＬＥＤに限られず、実装されるＦＰＣ１０が発光面１１ａと直交するサイドビュー型のＬＥＤであってもよい。
【００１８】
ライトバー１２は、点状の光源であるＬＥＤ１１から入射した光を線状の光に変換して、プリズムシート１３に向けて出射する。ライトバー１２は、透明材料（たとえば、ポリカーボネート樹脂）で構成されており、棒状に形成され、入光面１２ａと、出光面１２ｂと、かかる出光面１２ｂとは反対側の反出光面１２ｃを有する。
【００１９】
入光面１２ａは、ライトバー１２の一端面であり、ＬＥＤ１１が発した光が入射される。出光面１２ｂは、入光面１２ａと略垂直な面であり、入射された光を出射する。また、出光面１２ｂには、複数のプリズム１２ｊ（図３Ｅ参照）が並んで形成される。反出光面１２ｃは、出光面１２ｂとは反対側の面であり、複数のプリズム１２ｇ（図３Ｃ参照）が並んで形成される。なお、かかるライトバー１２の詳細については後述する。
【００２０】
プリズムシート１３は、光の配光を制御する。プリズムシート１３は、ライトバー１２の出光面１２ｂと、視野制御フィルム４の入光面４ａとの間に配置される。プリズムシート１３は、ライトバー１２の出光面１２ｂに対向する入光面１３ａと、かかる入光面１３ａとは反対側の出光面１３ｂとを有する。
【００２１】
入光面１３ａには、複数のプリズム１３ｄ（図４Ａ参照）が並んで形成される。また、出光面１３ｂには、凸レンズ１３ｅ（図４Ａ参照）が並んで形成される。なお、かかるプリズムシート１３の詳細については後述する。
【００２２】
ここまで説明した線状光源３Ａ、３Ｂは、プリズムシート１３の出光面１３ｂから、視野制御フィルム４を介して、導光板５の側面５ｃに対し所定の方向Ｂ（図ではＹ軸負方向）に向かって線状の光を出射する。このように、線状に光を発する線状光源３Ａ、３Ｂを用いることにより、導光板５から面状の光を発光させることができる。
【００２３】
視野制御フィルム４は、光の配光角度を制御する。視野制御フィルム４は、プリズムシート１３の出光面１３ｂと、導光板５の側面５ｃとの間に配置される。視野制御フィルム４は、プリズムシート１３の出光面１３ｂに対向する入光面４ａと、かかる入光面４ａとは反対側の出光面４ｂとを有する。なお、かかる視野制御フィルム４の詳細については後述する。
【００２４】
導光板５は、上面視で矩形状に形成されており、線状光源３Ａから出射される光が入光する第１導光部５ａと、線状光源３Ｂから出射される光が入光する第２導光部５ｂとを有する。なお、実施形態に係る面状照明装置１は、図１Ａに示す中心Ｃを軸に左右対称に形成されており、かかる中心Ｃを境界にして、導光板５が第１導光部５ａと第２導光部５ｂとに分けられる。
【００２５】
また、導光板５は、図１Ｂに示すように、視野制御フィルム４に向かい合う側面５ｃと、主面５ｄと、かかる主面５ｄとは反対側の主面５ｅとを有する。側面５ｃは、Ｘ軸方向に延伸する短冊状の面である。側面５ｃには、所定の方向Ｂに向かう光が入射される。さらに、導光板５は、所定の方向Ｂと平行に切断した場合に、所定の方向Ｂに向かうにしたがい徐々に厚さが小さくなるくさび形状を有する。すなわち、導光板５は、視野制御フィルム４から離れるほど主面５ｄと主面５ｅとの間隔が狭くなる。
【００２６】
主面５ｄ、５ｅは、ＸＹ平面に沿って広がる矩形状の面である。主面５ｄは、側面５ｃから入射された光が出射される出射面である。そのため、以下の説明では、主面５ｄを「出射面５ｄ」と表記する。また、裏側の主面５ｅを「裏面５ｅ」と表記する。
【００２７】
導光板５は、透明材料（たとえば、ポリカーボネート樹脂）で構成されており、所望の透光性を有する。たとえば、導光板５は、全体が透けており、裏面５ｅ側に存在する物体が、ハウジングフレーム２の開口部２ａ、２ｂを介して、出射面５ｄ側から視認できるように構成される。
【００２８】
図１Ｂに示すように、出射面５ｄは、所定の方向Ｂと略平行に配置される。一方で、裏面５ｅは、所定の方向Ｂから傾斜して配置される。また、裏面５ｅには、複数のプリズム５ｆ（図２Ａ参照）が並んで配置される。つづいて、導光板５に形成されるプリズム５ｆの詳細について、図２Ａ〜図２Ｃを参照しながら説明する。
【００２９】
図２Ａは、図１Ａにおける領域Ｄの拡大図であり、図２Ｂは、図１Ａにおける領域Ｅの拡大図である。すなわち、図２Ａは線状光源３Ａからの光が入光する第１導光部５ａの拡大図であり、図２Ｂは線状光源３Ｂからの光が入光する第２導光部５ｂの拡大図である。
【００３０】
また、図２Ｃは、図２ＡにおけるＦ−Ｆ線の断面図であり、具体的には、導光板５を所定の方向Ｂと平行に切断した場合の断面図である。なお、図２Ｃは、図２ＢにおけるＧ−Ｇ線の断面とも一致する。
【００３１】
図２Ｃに示すように、導光板５の裏面５ｅには、複数のプリズム５ｆが所定の方向Ｂに沿って並んで形成される。プリズム５ｆは、第１領域５ｆ１と第２領域５ｆ２とを有する。
【００３２】
第１領域５ｆ１は、略平面状であり、図２Ｃに示すように、導光板５を所定の方向Ｂと平行に切断した場合に、出射面５ｄと略平行である。第２領域５ｆ２は、略平面状であり、導光板５を所定の方向Ｂと平行に切断した場合に、出射面５ｄに対して傾斜している。具体的には、第２領域５ｆ２は、所定の方向Ｂに向かうにしたがい、出射面５ｄに近づく方向に傾斜している。また、１つのプリズム５ｆの第２領域５ｆ２は、隣接するプリズム５ｆの第１領域５ｆ１に連続して形成される。
【００３３】
かかる断面形状を有するプリズム５ｆが、図２Ｃに示すように、線状光源３Ａ、３Ｂにより所定の方向Ｂに沿って照射される光の進路を変更させて、かかる光を出射面５ｄから出射させる。具体的には、プリズム５ｆの第２領域５ｆ２で出射面５ｄに向けて光が反射される。このように、プリズム５ｆによって、Ｚ軸方向の配光を制御することができる。
【００３４】
また、導光板５を所定の方向Ｂと平行に切断した場合に、第１領域５ｆ１と出射面５ｄとを略平行にすることにより、裏面５ｅ側に存在する物体を出射面５ｄ側から視認する際に、視認される物体の物理的な連続性を高くすることができる。すなわち、第１領域５ｆ１と出射面５ｄとを略平行にすることにより、視認される物体の歪みを小さくすることができる。したがって、導光板５は高い透光性を有する。
【００３５】
さらに、第１領域５ｆ１を所定の方向Ｂと平行に切断した場合に出射面５ｄと略平行にすることにより、所定の方向Ｂに沿って入射される光が、第１領域５ｆ１で反射する際に、出射される光１００の角度θが所定の方向ＢからＺ軸方向にずれることを抑制することができる。したがって、導光板５におけるＺ軸方向の配光分布を精度よく制御することができる。
【００３６】
実施形態では、さらに、図２Ａおよび図２Ｂに示すように、プリズム５ｆの第１領域５ｆ１および第２領域５ｆ２は、所定の方向Ｂに対して斜め方向に延びている。具体的には、図２Ａに示す第１導光部５ａでは、第１領域５ｆ１および第２領域５ｆ２が、Ｘ軸負方向かつＹ軸負方向からＸ軸正方向かつＹ軸正方向に向かって延びている。
【００３７】
また、図２Ｂに示す第２導光部５ｂでは、第１領域５ｆ１および第２領域５ｆ２が、Ｘ軸正方向かつＹ軸負方向からＸ軸負方向かつＹ軸正方向に向かって延びている。
【００３８】
このように、プリズム５ｆを所定の方向Ｂに対して斜め方向に延びるように形成することにより、図２Ａおよび図２Ｂに示すように、線状光源３Ａ、３Ｂにより所定の方向Ｂに沿って照射される光の進路を変更させて、進路が変更された光を出射面５ｄから出射させることができる。
【００３９】
具体的には、図２Ａに示すように、第１導光部５ａではＸ軸負方向かつＹ軸負方向に向かって光が出射され、図２Ｂに示すように、第２導光部５ｂでは、Ｘ軸正方向かつＹ軸負方向に向かって光が出射される。すなわち、導光板５からは、視野制御フィルム４から離れる方向かつＬＥＤ１１が設けられる両端に近づく方向に向かって光が出射される。このように、プリズム５ｆにより、Ｘ軸方向の配光分布を精度よく制御することができる。
【００４０】
ここまで説明したように、実施形態に係る面状照明装置１では、導光板５に形成されるプリズム５ｆにより、Ｚ軸方向およびＸ軸方向の配光分布（導光板５の出射面５ｄにおける直交する２軸方向の配光分布）を精度よく制御することができる。また、上述のように、面状照明装置１では導光板５が高い透光性を有する。すなわち、実施形態によれば、透光性と高い配光性とを両立させることができる。
【００４１】
また、実施形態では、導光板５から出射される光が、半値全幅で４０°以内の範囲に出射されるとよい。これにより、必要な領域（たとえば、運転席の手元）を十分に照射するとともに、不要な領域（たとえば、運転者）に照射されることをさらに抑制することができる。
【００４２】
なお、実施形態では、導光板５を所定の方向Ｂと平行に切断した場合に、第１領域５ｆ１と出射面５ｄとが完全に平行である必要はない。たとえば、第１領域５ｆ１は、出射面５ｄとの成す角度が０°以上５°以下であればよい。さらに、第１領域５ｆ１は、出射面５ｄとの成す角度が０°以上１°以下であれば好ましく、出射面５ｄとの成す角度が０°以上０．５°以下であればより好ましい。
【００４３】
さらに、実施形態では、図１Ｂに示したように、ＹＺ平面の断面視において、導光板５全体がくさび形状を有していることから、導光板５を所定の方向Ｂと異なる向きに切断した場合には、第１領域５ｆ１と出射面５ｄとが平行にはならない。
【００４４】
また、実施形態では、図２Ｃに示すように、プリズム５ｆのＹ軸方向（すなわち、所定の方向Ｂ）における長さＬ１に対する、第１領域５ｆ１のＹ軸方向における長さＬ２の比率が、６０％以上１００％未満である。なお、長さＬ１は、長さＬ２と、第２領域５ｆ２のＹ軸方向における長さＬ３との和である。
【００４５】
また、ＹＺ平面の断面視において、第２領域５ｆ２と、出射面５ｄに平行な面５ｇとの成すプリズム角度φ１は、下記の式（１）で表される。
φ１＝｛９０−ａｓｉｎ（ｓｉｎθ／ｎ）｝／２（°）  ・・・（１）
【００４６】
なお、上述の式（１）において、角度θは、出射面５ｄに対して垂直な方向５ｈと、出射面５ｄから出射される光１００とが成す角度（出射角度）である。また、ｎは導光板５の屈折率である。
【００４７】
換言すると、プリズム５ｆのプリズム角度φ１を所定の角度に設定することにより、面状照明装置１を運転席および助手席の手元を照らす車内照明灯に用いる場合において、運転者や助手席に座る人の手元のみに限定して照らすことができる。これにより、運転者や助手席に座る人がまぶしく感じることを抑制することができる。
【００４８】
なお、出射面５ｄからは、複数の光１００が複数の方向に出射されるが、複数の光１００のうちピークの光度を有する光１００が進む方向と、出射面５ｄに対して垂直な方向５ｈとの成す角度が角度θである。
【００４９】
つづいて、実施形態に係る線状光源３Ａ、３Ｂおよび視野制御フィルム４の詳細について説明する。まず、線状光源３Ａ、３Ｂのライトバー１２について、図３Ａ〜図３Ｅを参照しながら説明する。図３Ａは、実施形態に係るライトバー１２を説明するための図である。
【００５０】
図３Ａに示すように、ライトバー１２は、入光面１２ａが設けられる一端から、長手方向（図ではＸ軸方向）に沿って他端に向かうにつれて、幅（Ｙ軸方向における寸法）が狭くなっている。また、ライトバー１２は、入光面１２ａを含む根元部１２ｄと、入光面１２ａから離れて設けられる先端部１２ｅとを有する。
【００５１】
そして、かかる根元部１２ｄと先端部１２ｅとは、反出光面１２ｃの傾斜が異なって形成される。具体的には、図３Ｂに示すように、根元部１２ｄに設けられる反出光面１２ｃ１と、出光面１２ｂに平行な面１２ｆとの成す角度φ２は、先端部１２ｅに設けられる反出光面１２ｃ２と、出光面１２ｂに平行な面１２ｆとの成す角度φ３より大きい。
【００５２】
換言すると、ライトバー１２は、根元部１２ｄに設けられる反出光面１２ｃ１が、先端部１２ｅに設けられる反出光面１２ｃ２より傾斜が大きい２段くさび形状を有している。
【００５３】
次に、ライトバー１２の反出光面１２ｃに形成されるプリズム１２ｇの詳細について、図３Ｃおよび図３Ｄを参照しながら説明する。図３Ｃは、図３Ａにおける領域Ｈの拡大図であり、図３Ｄは、図３Ａにおける領域Ｊの拡大図である。すなわち、図３Ｃは、先端部１２ｅのうち、根元部１２ｄに近い領域Ｈに形成されるプリズム１２ｇを説明するための図であり、図３Ｄは、先端部１２ｅのうち、根元部１２ｄから離れた領域Ｊに形成されるプリズム１２ｇを説明するための図である。
【００５４】
図３Ｃに示すように、領域Ｈにおける反出光面１２ｃには、複数のプリズム１２ｇが、ライトバー１２の長手方向（Ｘ軸方向）に沿って並んで形成される。プリズム１２ｇは、傾斜面１２ｇ１と傾斜面１２ｇ２とを有する。
【００５５】
傾斜面１２ｇ１は、ライトバー１２の一端（入光面１２ａ側）から他端に向かうにしたがい、出光面１２ｂから離れる方向に傾斜している。傾斜面１２ｇ２は、ライトバー１２の一端（入光面１２ａ側）から他端に向かうにしたがい、出光面１２ｂに近づく方向に傾斜している。また、１つのプリズム１２ｇの傾斜面１２ｇ２は、隣接するプリズム１２ｇの傾斜面１２ｇ１に連続して形成される。
【００５６】
さらに、図３Ｄに示すように、領域Ｊにおける反出光面１２ｃにも、複数のプリズム１２ｇが、ライトバー１２の長手方向（Ｘ軸方向）に沿って並んで形成される。
【００５７】
ここで、ＸＹ平面の断面視において、図３Ｃに示す領域Ｈにおけるプリズム１２ｇの傾斜面１２ｇ２と出光面１２ｂに平行な面１２ｆとの成す角度φ４は、図３Ｄに示す領域Ｊにおけるプリズム１２ｇの傾斜面１２ｇ２と出光面１２ｂに平行な面１２ｆとの成す角度φ５より小さい。すなわち、ライトバー１２の一端（入光面１２ａ側）から他端に向かうにしたがい、プリズム１２ｇの傾斜面１２ｇ２と出光面１２ｂに平行な面１２ｆとの成す角度が徐々に大きくなるように連続的に変化する。
【００５８】
一方で、ＸＹ平面の断面視において、傾斜面１２ｇ１と傾斜面１２ｇ２との成す角度φ６は、すべてのプリズム１２ｇで共通の角度である。ここまで説明したプリズム１２ｇにより、ライトバー１２の出光面１２ｂにおけるＸ軸方向の配光分布を精度よく制御することができる。
【００５９】
次に、ライトバー１２の出光面１２ｂに形成されるプリズム１２ｊについて、図３Ｅを参照しながら説明する。図３Ｅは、図３ＡにおけるＫ−Ｋ線の断面図である。なお、図３Ｅには、ＸＹ平面と略平行であるライトバー１２の側面１２ｋ、１２ｍが示されている。
【００６０】
図３Ｅに示すように、ＹＺ平面の断面視において、ライトバー１２の出光面１２ｂに、複数のプリズム１２ｊが、ライトバー１２の短手方向（Ｚ軸方向）に沿って並んで形成される。プリズム１２ｊは、傾斜面１２ｊ１と傾斜面１２ｊ２とを有する。
【００６１】
傾斜面１２ｊ１は、ライトバー１２の短手方向における一端（側面１２ｋ側）から他端（側面１２ｍ側）に向かうにしたがい、出光面１２ｂに平行な面１２ｈから離れる方向に傾斜している。傾斜面１２ｊ２は、ライトバー１２の短手方向における一端（側面１２ｋ側）から他端（側面１２ｍ側）に向かうにしたがい、出光面１２ｂに平行な面１２ｈに近づく方向に傾斜している。
【００６２】
そして、傾斜面１２ｊ１と傾斜面１２ｊ２との成す角（プリズム１２ｊの頂角）の頂角度φ７は、たとえば９０°である。また、傾斜面１２ｊ１と面１２ｈとの成す角度φ８、および傾斜面１２ｊ２と面１２ｈとの成す角度φ９は、たとえば４５°である。
【００６３】
ここで、図３Ｅに示すように、プリズム１２ｊが、ライトバー１２に入射する光１０１の進路をＹ軸方向と平行な方向に変更させることにより、かかる光１０１をプリズムシート１３の入光面１３ａに入射させることができる。このように、プリズム１２ｊにより、Ｚ軸方向の配光分布を精度よく制御することができる。
【００６４】
さらに、上述のように、反出光面１２ｃにプリズム１２ｇが形成されることにより、Ｘ軸方向の配光を制御することができる。すなわち、実施形態に係るライトバー１２では、Ｘ軸方向およびＺ軸方向の配光分布を精度よく制御することができる。
【００６５】
なお、プリズム１２ｊの頂角度φ７を９０°にした場合、導光板５の出射面５ｄにおけるＺ軸方向の配光角を最も狭くすることができる。一方で、頂角度φ７を９０°より大きくすることによって、導光板５の出射面５ｄにおけるＺ軸方向の配光を広くすることができる。
【００６６】
つづいて、実施形態に係るプリズムシート１３の詳細について、図４Ａおよび図４Ｂを参照しながら説明する。図４Ａは、実施形態に係るプリズムシート１３の長手方向（Ｘ軸方向）における中央部分の拡大図である。
【００６７】
図４Ａに示すように、プリズムシート１３の中央部における入光面１３ａには、複数のプリズム１３ｄが、プリズムシート１３の長手方向（Ｘ軸方向）に沿って並んで形成される。プリズム１３ｄは、傾斜面１３ｄ１と傾斜面１３ｄ２とを有する。
【００６８】
傾斜面１３ｄ１は、プリズムシート１３の長手方向における一端（Ｘ軸負方向側）から他端（Ｘ軸正方向側）に向かうにしたがい、出光面１３ｂから離れる方向に傾斜している。傾斜面１３ｄ２は、プリズムシート１３の長手方向における一端（Ｘ軸負方向側）から他端（Ｘ軸正方向側）に向かうにしたがい、出光面１３ｂに近づく方向に傾斜している。また、１つのプリズム１３ｄの傾斜面１３ｄ２は、隣接するプリズム１３ｄの傾斜面１３ｄ１に連続して形成される。
【００６９】
そして、図４Ａに示すように、プリズム１３ｄが、プリズムシート１３に入射する光１０２の進路をＹ軸方向と平行な方向に変更させることにより、かかる光１０２を視野制御フィルム４の入光面４ａに入射させることができる。たとえば、プリズム１３ｄの傾斜面１３ｄ１に入射された光１０２が、傾斜面１３ｄ２により入光面４ａに向けて反射される。このように、プリズム１３ｄにより、Ｘ軸方向の配光を制御することができる。
【００７０】
図４Ｂは、実施形態に係るプリズムシート１３の長手方向における端部近傍の拡大図であり、具体的には、線状光源３Ａ側の端部近傍における拡大図である。図４Ｂに示すように、端部近傍における入光面１３ａにも、複数のプリズム１３ｄが、プリズムシート１３の長手方向（Ｘ軸方向）に沿って並んで形成される。
【００７１】
なお、ＸＹ平面の断面視における複数のプリズム１３ｄの形状は、面状照明装置１の中心Ｃを通る線分に対して線対称となる。すなわち、入光面１３ａには、Ｘ軸方向におけるプリズムシート１３の両端から中心Ｃに向かうにしたがい、出光面１３ｂから離れる方向に傾斜している傾斜面１３ｄ１と、出光面１３ｂに近づく方向に傾斜している傾斜面１３ｄ２とが連続する複数のプリズム１３ｄが、Ｘ軸方向に沿って並んで形成される。
【００７２】
そして、図４Ｂに示すように、プリズム１３ｄが、プリズムシート１３に入射する光１０３の進路をＹ軸方向と平行な方向に変更させることにより、かかる光１０３を視野制御フィルム４の入光面４ａに入射させることができる。
【００７３】
ここで、ＸＹ平面の断面視において、図４Ａに示すプリズムシート１３の中央部分におけるプリズム１３ｄの傾斜面１３ｄ１と、出光面１３ｂに平行な面１３ｆとの成す角度φ１０は、図４Ｂに示すプリズムシート１３の端部近傍におけるプリズム１３ｄの傾斜面１３ｄ１と面１３ｆとの成す角度φ１３より小さい。
【００７４】
すなわち、入光面１３ａの中央部分に形成される傾斜面１３ｄ１の傾斜角（角度φ１０）は、入光面１３ａの端部近傍に形成される傾斜面１３ｄ１の傾斜角（角度φ１３）より小さい。
【００７５】
また、ＸＹ平面の断面視において、図４Ａに示すプリズムシート１３の中央部分におけるプリズム１３ｄの傾斜面１３ｄ２と、出光面１３ｂに平行な面１３ｆとの成す角度φ１１は、図４Ｂに示すプリズムシート１３の端部近傍におけるプリズム１３ｄの傾斜面１３ｄ２と面１３ｆとの成す角度φ１４より大きい。
【００７６】
すなわち、入光面１３ａの中央部分に形成される傾斜面１３ｄ２の傾斜角（角度φ１１）は、入光面１３ａの端部近傍に形成される傾斜面１３ｄ２の傾斜角（角度φ１４）より大きい。
【００７７】
一方で、ＸＹ平面の断面視において、傾斜面１３ｄ１と傾斜面１３ｄ２との成す角度φ１２は、すべてのプリズム１３ｄで共通の角度である。
【００７８】
なお、ＸＹ平面の断面視において、中心Ｃに位置するプリズム１３ｄは、傾斜面１３ｄ１と面１３ｆとの成す角度φ１０が、傾斜面１３ｄ２と面１３ｆとの成す角度φ１１と等しくなる。すなわち、ＸＹ平面の断面視において、中心Ｃに位置するプリズム１３ｄの形状は二等辺三角形となる。
【００７９】
上述のように、ＸＹ平面の断面視における複数のプリズム１３ｄの形状は、面状照明装置１の中心Ｃを通る線分に対して線対称となる。これにより、一対のＬＥＤ１１がそれぞれ異なる方向から光を照射したとしても、プリズムシート１３により所定の方向Ｂに光の向きを揃えることができる。
【００８０】
なお、プリズムシート１３の出光面１３ｂは、平面状であってもよいし、図４Ａおよび図４Ｂに示すように、Ｘ軸方向に複数の凸レンズ１３ｅが並んだレンチキュラレンズを設けてもよい。そして、かかる凸レンズ１３ｅと出光面１３ｂとの接触角を大きくすることにより、Ｘ軸方向の配光を大きくすることができる。
【００８１】
すなわち、凸レンズ１３ｅと出光面１３ｂとの接触角を適宜調整することにより、Ｘ軸方向の配光分布を精度よく制御することができる。したがって、導光板５の出射面５ｄにおけるＸ軸方向の配光分布を精度よく制御することができる。さらに、隣接する凸レンズ１３ｅ間のピッチ間隔を、向かい合うプリズム１３ｄ間のピッチ間隔より狭くすることによって、Ｘ軸方向の輝度の均一性を向上させることができる。
【００８２】
つづいて、実施形態に係る視野制御フィルム４の詳細について、図５Ａを参照しながら説明する。図５Ａは、実施形態に係る視野制御フィルム４について説明するための図であり、具体的には、ＸＹ平面における断面図である。
【００８３】
視野制御フィルム４は、基材である光透過部４ｃと、複数の光吸収部４ｄとを有する。光透過部４ｃは、光を透過する機能を有し、たとえば、光透過性樹脂で構成される。光吸収部４ｄは、光を吸収する機能を有し、たとえば、光吸収性樹脂で構成される。かかる光吸収部４ｄは、帯形状を有し、長手方向が所定の向き（たとえば、ＸＹ平面の断面視において、プリズムシート１３から出光される光のピーク方向Ｐ）に揃って向くように配置される。
【００８４】
これにより、図５Ａに示すように、たとえば、ピーク方向Ｐに対する傾きが小さい光１０４や光１０５が入光面４ａから出光面４ｂまで光透過部４ｃを透過することができるのに対し、ピーク方向Ｐに対する傾きが大きい光１０６は光吸収部４ｄで吸収され、出光面４ｂまで到達できない。
【００８５】
すなわち、視野制御フィルム４を設けることにより、ＸＹ平面の断面視、すなわち導光板５の出射面５ｄと平行な面で切断した場合に、ピーク方向Ｐから大きく外れる不要な光（たとえば、光１０６）が導光板５に入光することを抑制することができる。これにより、導光板５で向きが変えられて出射される光のＸ軸方向における配光性を向上させることができる。
【００８６】
実施形態では、ＸＹ平面の断面視において、視野制御フィルム４の出光面４ｂから出光する光、すなわち、線状光源３Ａ、３Ｂから導光板５に出射される光が、半値全幅で２０°以下であるとよい。また、視野制御フィルム４は、ＸＹ平面の断面視において、配光角度を±６０°以下の範囲で制限するとよい。これにより、導光板５で向きが変えられて出射される光のＸ軸方向における配光性をさらに向上させることができる。
【００８７】
なお、図５Ａでは、ピーク方向ＰがＹ軸方向と平行な場合について示したが、ピーク方向ＰはＹ軸方向と平行な場合に限られない。たとえば、図５Ｂに示すように、ピーク方向ＰがＹ軸方向から傾いている場合には、光吸収部４ｄの長手方向もピーク方向Ｐに沿うように、Ｙ軸方向から傾けて配置するとよい。図５Ｂは、実施形態に係る視野制御フィルム４の別の例について説明するための図である。これにより、図５Ａに示した例と同様に、ピーク方向Ｐに対する傾きが大きい光１０６の透過を抑制することができる。
【００８８】
また、実施形態において、ＬＥＤ１１の周囲およびライトバー１２の入光面１２ａ付近のハウジングフレーム２には、高い反射率を有する樹脂（たとえば白色樹脂）を用いるとよい。これにより、光の効率を向上させることができる。さらに、上述の部位以外のハウジングフレーム２には、高い吸収率を有する樹脂（たとえば黒色樹脂）を用いるとよい。これにより、不要な配光を低減することができる。すなわち、ハウジングフレーム２は、白色樹脂と黒色樹脂とによる２色成形で成形するとよい。
【００８９】
さらに、実施形態にかかる面状照明装置１は、ライトバー１２における入光面１２ａおよび出光面１２ｂ以外の表面と、プリズムシート１３における入光面１３ａおよび出光面１３ｂ以外の表面と、導光板５において側面５ｃに隣接する幅２ｍｍ程度の範囲の表面とで、光が鏡面反射されるように構成されているとよい。たとえば、断面コ字状の鏡面反射シートで、かかる表面を覆えばよい。これにより、光の効率を向上させることができるとともに、不要な配光を低減することができる。
【００９０】
さらに、実施形態にかかる面状照明装置１は、導光板５の終端部（図１Ａにおける下端部）および側面部（図１Ａにおける左右側の側面）とで光が吸収されるように構成されているとよい。たとえば、黒色の塗装材でかかる部位を塗装すればよい。これにより、不要な配光を低減することができる。
【００９１】
（変形例）
以降においては、実施形態の各種変形例について説明する。なお、以降の説明では実施形態と同じ部位については同じ符号を付し、重複する説明については省略する場合がある。最初に、実施形態の変形例１について、図６Ａおよび図６Ｂを参照しながら説明する。
【００９２】
図６Ａは、実施形態の変形例１に係る面状照明装置１の正面図であり、図６Ｂは、図６Ａにおける領域Ｍの拡大図である。図６Ａに示すように、変形例１では、線状光源が実施形態のように一対ではなく、１つのみ設けられている（線状光源３Ａ）。
【００９３】
さらに、図６Ｂに示すように、導光板５において、プリズム５ｆは所定の方向Ｂに対して斜め方向に（図ではＸ軸正方向かつＹ軸負方向からＸ軸負方向かつＹ軸正方向に向かって）延びている。これにより、変形例１では、かかるプリズム５ｆにより所望の一方向（図ではＸ軸正方向かつＹ軸負方向）に向かって光を照射することができる。
【００９４】
つづいて、実施形態の変形例２について、図７Ａおよび図７Ｂを参照しながら説明する。図７Ａは、実施形態の変形例２に係る第１導光部５ａの拡大図であり、図７Ｂは、実施形態の変形例２に係る第２導光部５ｂの拡大図である。すなわち、図７Ａは、実施形態における領域Ｄ（図１Ａ参照）の拡大図であり、図７Ｂは、実施形態における領域Ｅ（図１Ａ参照）の拡大図である。
【００９５】
図７Ｂに示すように、第２導光部５ｂでは、実施形態と同様にプリズム５ｆが所定の方向Ｂに対して斜め方向に延びているのに対し、図７Ａに示すように、第１導光部５ａでは、プリズム５ｆが所定の方向Ｂに対して垂直方向に延びている。
【００９６】
このように、プリズム５ｆを所定の方向Ｂに対して垂直方向に延ばして形成することにより、図７Ａに示すように、ＸＹ平面において、出射方向を所定の方向Ｂと揃えることができる。さらに、第２導光部５ｂにおいて、プリズム５ｆを所定の方向Ｂから傾けて形成することにより、ＸＹ平面において、出射方向を所定の方向Ｂから傾けて照射することができる。
【００９７】
このように、第１導光部５ａと第２導光部５ｂとにおけるプリズム５ｆの向きを適宜変更することにより、面状照明装置１では、異なる２方向に出射方向を変更することができる。
【００９８】
つづいて、実施形態の変形例３について、図８〜図１０Ｂを参照しながら説明する。図８は、実施形態の変形例３に係る面状照明装置１の断面図であり、実施形態における図１Ｂに対応する図面である。かかる変形例３は、実施形態における視野制御フィルム４が、異なる構造を有する視野制御フィルム４Ａに変更された例である。
【００９９】
かかる視野制御フィルム４Ａの詳細について、図９に示す。図９は、実施形態の変形例３に係る視野制御フィルム４Ａについて説明するための図であり、具体的には、ＹＺ平面における断面図である。
【０１００】
視野制御フィルム４Ａは、視野制御フィルム４と同様に、基材である光透過部４ｃと、複数の光吸収部４ｄとを有する。一方で、帯形状を有する光吸収部４ｄは、視野制御フィルム４と異なり、ＹＺ平面の断面視において、長手方向がプリズムシート１３から出光される光のピーク方向Ｐに揃って向くように配置される。
【０１０１】
これにより、図９に示すように、ＹＺ平面の断面視において、入光面４ａから出光面４ｂまでの光透過部４ｃを、ピーク方向Ｐに対する傾きが小さい光１０７や光１０８は透過することができる。これに対し、ピーク方向Ｐに対する傾きが大きい光１０９は光吸収部４ｄで吸収され、出光面４ｂまで到達できない。
【０１０２】
すなわち、視野制御フィルム４Ａを設けることにより、ＹＺ平面の断面視、すなわち視野制御フィルム４Ａの長手方向と垂直な面で切断した場合に、ピーク方向Ｐから大きく外れる不要な光（たとえば、光１０９）が導光板５に入光することを抑制することができる。
【０１０３】
図１０Ａは、参考例の面状照明装置１における配光について説明するための図である。具体的には、図１０Ａに示す参考例は、視野制御フィルム４Ａが設けられていない面状照明装置１について示している。
【０１０４】
図１０Ａに示すように、視野制御フィルム４Ａが設けられていない場合、ＹＺ平面の断面視において、導光板５には、ピーク方向Ｐに対する傾きが小さい光１０７や光１０８のみならず、ピーク方向Ｐに対する傾きが大きい光１０９も入射される。そして、ピーク方向Ｐに対する傾きが小さい光１０７や光１０８は、導光板５の内部では、プリズム５ｆの第１領域５ｆ１や第２領域５ｆ２で反射され、所定の方向（Ｙ軸負方向かつＺ軸正方向）に出射される。
【０１０５】
一方、ピーク方向Ｐに対する傾きが大きい光１０９は、導光板５の内部で、出射面５ｄとプリズム５ｆの第１領域５ｆ１とで反射をくり返し、最終的に第２領域５ｆ２で反射されて、所定の方向とは異なる方向（Ｙ軸正方向かつＺ軸正方向）に出射される。
【０１０６】
したがって、視野制御フィルム４Ａが設けられていない場合、導光板５で向きが変えられて出射される光のＹ軸方向における配光性を向上させることが困難である。すなわち、参考例では、Ｙ軸正方向側にいる運転者や助手席に座る人がまぶしく感じる恐れがある。
【０１０７】
図１０Ｂは、実施形態の変形例３に係る面状照明装置１における配光について説明するための図である。図１０Ｂに示すように、視野制御フィルム４Ａが設けられる場合、ＹＺ平面の断面視において、導光板５には、ピーク方向Ｐに対する傾きが小さい光１０７や光１０８は入射されるが、ピーク方向Ｐに対する傾きが大きい光１０９は入射されない。
【０１０８】
これにより、かかる光１０９に起因する所定の方向とは異なる方向（Ｙ軸正方向かつＺ軸正方向）に出射される光を低減させることができる。したがって、変形例３によれば、導光板５で向きが変えられて出射される光のＹ軸方向における配光性を向上させることができる。
【０１０９】
変形例３では、ＹＺ平面の断面視において、視野制御フィルム４Ａの出光面４ｂから出光する光、すなわち、線状光源３Ａ、３Ｂから導光板５に出射される光が、半値全幅で２０°以下であるとよい。また、視野制御フィルム４Ａは、ＹＺ平面の断面視において、配光角度を±６０°以下の範囲で制限するとよく、配光角度を±４５°以下の範囲で制限するとさらによい。これにより、導光板５で向きが変えられて出射される光のＹ軸方向における配光性をさらに向上させることができる。
【０１１０】
図１１は、実施形態の変形例４に係る面状照明装置１の断面図である。変形例４は、実施形態に設けられる視野制御フィルム４と、変形例３に設けられる視野制御フィルム４Ａとを両方用いた例である。
【０１１１】
具体的には、図１１に示すように、プリズムシート１３と導光板５との間に、視野制御フィルム４と視野制御フィルム４Ａとが積層されて配置されている。この変形例４では、視野制御フィルム４により、導光板５で向きが変えられて出射される光のＸ軸方向における配光性を向上させることができるとともに、視野制御フィルム４Ａにより、導光板５で向きが変えられて出射される光のＹ軸方向における配光性を向上させることができる。
【０１１２】
なお、変形例４では、視野制御フィルム４と視野制御フィルム４Ａとを直接貼り合わせるとよい。これにより、視野制御フィルム４と視野制御フィルム４Ａとの間での屈折率の変化を抑制することができることから、視野制御フィルム４と視野制御フィルム４Ａとの間で光が減衰することを抑制することができる。したがって、面状照明装置１の発光効率を向上させることができる。
【０１１３】
図１２は、参考例の面状照明装置１における配光分布を示す図である。なお、図１２に示す配光分布は、色が濃いほど輝度が大きいことを示している。また、図１２に示す配光分布における方位角および極角の向きについて、図１３および図１４を参照しながら説明する。
【０１１４】
図１３は、図１２に示した配光分布における方位角について説明するための図である。図１３に示すように、図１２に示した配光分布では、導光板５の第２導光部５ｂから出射される光について、Ｘ軸正方向を方位角０°とし、Ｙ軸負方向を方位角９０°とし、Ｘ軸負方向を方位角１８０°とし、Ｙ軸正方向を方位角２７０°としている。なお、方位角９０°（Ｙ軸負方向）が車両の前方側に対応し、方位角２７０°（Ｙ軸正方向）が車両の後方側に対応している。
【０１１５】
図１４は、図１２に示した配光分布における極角について説明するための図である。図１４に示すように、図１２に示した配光分布では、導光板５の出射面５ｄから出射される光について、Ｚ軸正方向を極角０°とし、かかるＺ軸正方向と垂直な方向を極角９０°とし、かかる垂直な方向の反対方向を極角−９０°としている。たとえば、図１４に示すように、Ｙ軸正方向を極角９０°とした場合、Ｙ軸負方向が極角−９０°となる。
【０１１６】
図１２の説明に戻る。図１２に示すように、参考例の面状照明装置１は、方位角が約２５°、極角が約５０°を中心とする所定の方向に向けて光を出射するように構成されている。一方で、参考例の面状照明装置１は、かかる所定の方向とは異なる方向にも光が出射されている。
【０１１７】
図１５は、実施形態、変形例３、変形例４および参考例の配光分布の断面を示した図である。具体的には、図１５は、図１２に示したＺ軸正方向を極角０°とする半球方向の輝度分布のうち、方位角約３３７°（図１２の破線１１０に対応）における断面での輝度を示している。
【０１１８】
また、図１５において、極角が０°付近の領域がＸ軸方向において配光が乱れた場合に輝度が高くなる領域であり、極角が６３°付近の領域がＹ軸方向において配光が乱れた場合に輝度が高くなる領域である。
【０１１９】
図１５に示すように、視野制御フィルム４と視野制御フィルム４Ａとがいずれも設けられていない参考例では、極角が０°付近でも６３°付近でも輝度が高くなっていることから、Ｘ軸方向でもＹ軸方向でも配光が多少乱れていることがわかる。
【０１２０】
一方で、視野制御フィルム４が設けられる実施形態では、参考例と比較して、極角が０°付近で輝度が低下していることから、Ｘ軸方向で配光性が向上していることがわかる。
【０１２１】
また、視野制御フィルム４Ａが設けられる変形例３では、参考例と比較して、極角が６３°付近で輝度が低下していることから、Ｙ軸方向で配光性が向上していることがわかる。
【０１２２】
さらに、視野制御フィルム４と視野制御フィルム４Ａとがいずれも設けられる変形例４では、参考例と比較して、極角が０°付近でも極角が６３°付近でも輝度が低下していることから、Ｘ軸方向およびＹ軸方向いずれの配光性も向上していることがわかる。
【０１２３】
上述したように、実施形態によれば、導光板５の裏面５ｅに形成されるプリズム５ｆが、所定の方向Ｂと平行に切断した場合に、出射面５ｄと略平行である第１領域５ｆ１と、出射面５ｄに対して傾斜する第２領域５ｆ２とを有し、かかる第１領域５ｆ１と第２領域５ｆ２とが所定の方向Ｂに対して斜め方向に延びるように形成されることにより、透光性と高い配光性とを両立させることができる。
【０１２４】
なお、上記の実施形態では、ＬＥＤ１１およびライトバー１２を用いて線状光源３Ａ、３Ｂを形成していたが、線状光源の構成はかかる例に限られない。たとえば、複数のＬＥＤを一列に並べて線状光源を形成してもよい。また、上記の実施形態では、面状照明装置１が中心Ｃを軸に左右対称に形成されていたが、左右対称に形成されなくともよい。
【０１２５】
また、上記の実施形態では、プリズムシート１３の構成が左右対称であったが、プリズムシート１３が左右で異なる構成であってもよい。これにより、導光板５の第１導光部５ａと第２導光部５ｂとに、それぞれ異なる向きの光を入光させることができる。さらに、上記の実施形態では、プリズムシート１３が一体で構成されていたが、ライトバー１２と同様に、左右で分割されていてもよい。
【０１２６】
以上のように、実施形態に係る面状照明装置１は、光源（線状光源３Ａ、３Ｂ）と、導光板５とを備える。光源（線状光源３Ａ、３Ｂ）は、所定の方向Ｂに光を出射する。導光板５は、側面５ｃと、一方の主面である出射面５ｄと、他方の主面である裏面５ｅとを有し、裏面５ｅにプリズム５ｆが形成され、光源（線状光源３Ａ、３Ｂ）から側面５ｃに入射される光を出射面５ｄから出射する。そして、プリズム５ｆは、所定の方向Ｂと平行に切断した場合に、出射面５ｄと略平行である第１領域５ｆ１と、出射面５ｄに対して傾斜する第２領域５ｆ２とを有し、第１領域５ｆ１と第２領域５ｆ２とが所定の方向Ｂに対して斜め方向に延びる。これにより、透光性と高い配光性とを両立させることができる。
【０１２７】
また、実施形態に係る面状照明装置１において、出射面５ｄから出射される光は、半値全幅で４０°以下の範囲に出射される。これにより、必要な領域を十分に照射するとともに、不要な領域に照射されることをさらに抑制することができる。
【０１２８】
また、実施形態に係る面状照明装置１は、光源（線状光源３Ａ、３Ｂ）と導光板５の側面５ｃとの間に、配光角度を制限可能に構成される視野制御フィルム４をさらに備える。これにより導光板５で向きが変えられて出射される光の配光性を向上させることができる。
【０１２９】
また、実施形態に係る面状照明装置１において、視野制御フィルム４は、出射面５ｄと平行な面で切断した場合に、所定の方向に対する配光角度を±６０°以下（好ましくは、±４５°以下）の範囲で制限する。これにより、導光板５で向きが変えられて出射される光のＸ軸方向における配光性をさらに向上させることができる。
【０１３０】
また、実施形態に係る面状照明装置１において、視野制御フィルム４Ａは、長手方向と垂直な面で切断した場合に、配光角度を±６０°以下（好ましくは、±４５°以下）の範囲で制限する。これにより、導光板５で向きが変えられて出射される光のＹ軸方向における配光性をさらに向上させることができる。
【０１３１】
また、実施形態に係る面状照明装置１において、光源は、側面５ｃに沿って延びる線状光源３Ａ、３Ｂである。これにより、導光板５から面状の光を発光させることができる。
【０１３２】
また、実施形態に係る面状照明装置１は、２つの線状光源３Ａ、３Ｂが側面５ｃに沿って配置される。これにより、異なる２箇所（例えば、運転席側および助手席側）にそれぞれ独立して光を照射させることができる。
【０１３３】
また、実施形態に係る面状照明装置１において、導光板５は、第１導光部５ａと第２導光部５ｂとを有し、第１導光部５ａと第２導光部５ｂとで第１領域５ｆ１と第２領域５ｆ２とが延びる方向が互いに異なる。これにより、異なる２箇所（例えば、運転席側および助手席側）にそれぞれ高い配向性で光を照射させることができる。
【０１３４】
また、上記実施の形態により本発明が限定されるものではない。上述した各構成素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【符号の説明】
【０１３５】
１    面状照明装置
２    ハウジングフレーム
３Ａ、３Ｂ  線状光源
４、４Ａ  視野制御フィルム
５    導光板
５ａ  第１導光部
５ｂ  第２導光部
５ｃ  側面
５ｄ  出射面
５ｅ  裏面
５ｆ  プリズム
５ｆ１  第１領域
５ｆ２  第２領域
１０  ＦＰＣ
１１  ＬＥＤ（光源）
１２  ライトバー
１３  プリズムシート
【図１Ａ】
2018181822.tif 000003
【図１Ｂ】
2018181822.tif 000004
【図２Ａ】
2018181822.tif 000005
【図２Ｂ】
2018181822.tif 000006
【図２Ｃ】
2018181822.tif 000007
【図３Ａ】
2018181822.tif 000008
【図３Ｂ】
2018181822.tif 000009
【図３Ｃ】
2018181822.tif 000010
【図３Ｄ】
2018181822.tif 000011
【図３Ｅ】
2018181822.tif 000012
【図４Ａ】
2018181822.tif 000013
【図４Ｂ】
2018181822.tif 000014
【図５Ａ】
2018181822.tif 000015
【図５Ｂ】
2018181822.tif 000016
【図６Ａ】
2018181822.tif 000017
【図６Ｂ】
2018181822.tif 000018
【図７Ａ】
2018181822.tif 000019
【図７Ｂ】
2018181822.tif 000020
【図８】
2018181822.tif 000021
【図９】
2018181822.tif 000022
【図１０Ａ】
2018181822.tif 000023
【図１０Ｂ】
2018181822.tif 000024
【図１１】
2018181822.tif 000025
【図１２】
2018181822.tif 000026
【図１３】
2018181822.tif 000027
【図１４】
2018181822.tif 000028
【図１５】
2018181822.tif 000029